(57)【特許請求の範囲】
【請求項１】
エスカレータの移動手摺に動力を伝達するスプロケットを交換するときに用いられ、スプロケットに一体に設けられる主軸の位置を出すエスカレータの主軸位置出し用工具において、
主軸のセンターポンチに当接する当接部と、
当接部から所定の間隔をあけて配置され、主軸付近の踏段のステップ軸に接触する接触部と、
当接部と接触部を連結する連結部と、
を有し、
当接部がセンターポンチに当接しているとき、連結部と接触部が主軸に対して直交する方向に伸びるように構成される、
を有することを特徴とするエスカレータの主軸位置出し用工具。
【請求項２】
請求項１に記載のエスカレータの主軸位置出し用工具において、
当接部は、主軸に対して、これの軸方向にスライド可能に固定される固定部を有する、
ことを特徴とするエスカレータの主軸位置出し用工具。
【請求項３】
請求項２に記載のエスカレータの主軸位置出し用工具において、
固定部は、これの断面が円弧状に形成され、そして円弧の内周と主軸の外周が隙間無く嵌るように形成される、
ことを特徴とするエスカレータの主軸位置出し用工具。
【請求項４】
請求項３に記載のエスカレータの主軸位置出し用工具において、
固定部は、軸方向に所定の長さを有する、
ことを特徴とするエスカレータの主軸位置出し用工具。
【請求項５】
請求項１から４のいずれか１つに記載のエスカレータの主軸位置出し用工具において、
接触部は、ステップ軸に対して引っ掛かる引掛り部を有する、
ことを特徴とするエスカレータの主軸位置出し用工具。
【請求項６】
請求項５に記載のエスカレータの主軸位置出し用工具において、
引掛り部は、これの断面が円弧状に形成され、そして円弧の内周とステップ軸の外周が隙間無く嵌るように形成される、
ことを特徴とするエスカレータの主軸位置出し用工具。
【請求項７】
請求項１から６のいずれか１つに記載のエスカレータの主軸位置出し用工具において、
連結部は、直交線方向に対して伸縮自在である、
ことを特徴とするエスカレータの主軸位置出し用工具。
【発明の詳細な説明】
【技術分野】
【０００１】
本発明は、エスカレータの移動手摺に動力を伝達するスプロケットを交換するときに用いられる工具に関し、特に、スプロケットに一体に設けられる主軸の位置を出すエスカレータの主軸位置出し用工具に関する。
【背景技術】
【０００２】
エスカレータは、利用者を輸送する装置であり、一般的に、乗り口と降り口とからなる一対の乗降口の間を無端状に連結される複数の踏段と、踏段の両側に設けられた欄干上にスライド可能に取り付けられる無端状の移動手摺と、踏段と移動手摺をそれぞれ回動させる駆動装置とを有する。駆動装置は、駆動源であるモータと、モータの動力を踏段と移動手摺にそれぞれ伝達する、スプロケットとチェーンから構成される動力伝達機構を有する。
【０００３】
移動手摺に接続される動力伝達機構の一部を構成するチェーンは、通常、経年劣化により伸びる。チェーンが伸びると、チェーンがスプロケットの歯を登るようになり、その歯を摩耗させてしまう。このため、定期的に、保守員によるスプロケットの点検が行なわれる。そして、点検によりスプロケットの摩耗が進行している判断されると、保守員によってスプロケットが交換される。
【０００４】
下記特許文献１には、チェーンが巻き掛けられた１対のチェーン駆動スプロケットを有する乗客コンベアが記載されている。そして、このチェーン駆動スプロケットには、主軸が一体に回転可能に嵌められていることが示されている。
【先行技術文献】
【特許文献】
【０００５】
【特許文献１】特開平１０−１０９８７１号公報
【発明の概要】
【発明が解決しようとする課題】
【０００６】
上述のようなスプロケットの交換作業には、新しいスプロケットをエスカレータのトラス内に取り付ける際の位置出し作業が含まれる。ここで、位置出しとは、スプロケットに設けられる主軸の軸方向におけるセンターを、エスカレータの幅方向におけるセンターに合わせることである。
【０００７】
この主軸のセンター位置は、トラス内に設けられたエスカレータの構成部品、例えば踏段の走行をガイドするレール、または踏段に設けられるステップ軸を基準にして出することができる。例えば、主軸のセンター位置は、レールを基準に、そこから主軸に設けられるセンターポンチまでの距離を測定して出すことができる。または、主軸のセンター位置は、交換前の主軸に直尺をあてがうことでその主軸のセンターポンチに位置を主軸付近のステップ軸にマーキングし、そのステップ軸のマークと、交換後の主軸のセンターポンチとを、直尺を介して合わせることで出すことができる。
【０００８】
しかし、スプロケットの交換作業を行なう場所はトラス内であり、その作業領域が狭くかつ傾斜している。このような作業領域では、作業姿勢が十分に確保されないため、正確な寸法の測定が必要とされる位置出し作業に手間がかかってしまうという問題がある。
【０００９】
本発明の目的は、スプロケットの交換作業時に、簡易な構造で、スプロケットの主軸の位置を容易にかつ正確に出すことができるエスカレータの主軸位置出し用工具を提供することにある。
【課題を解決するための手段】
【００１０】
本発明は、エスカレータの移動手摺に動力を伝達するスプロケットを交換するときに用いられ、スプロケットに一体に設けられる主軸の位置を出すエスカレータの主軸位置出し用工具において、主軸のセンターポンチに当接する当接部と、当接部から所定の間隔をあけて配置され、主軸付近の踏段のステップ軸に接触する接触部と、当接部と接触部を連結する連結部と、を有し、当接部がセンターポンチに当接しているとき、連結部と接触部が主軸に対して直交する方向に伸びるように構成されることを特徴とする。
【００１１】
また、当接部は、主軸に対して、これの軸方向にスライド可能に固定される固定部を有することができる。
【００１２】
また、固定部は、これの断面が円弧状に形成され、そして円弧の内周と主軸の外周が隙間無く嵌るように形成されることが好適である。
【００１３】
また、固定部は、軸方向に所定の長さを有することができる。
【００１４】
また、接触部は、ステップ軸に対して引っ掛かる引掛り部を有することができる。
【００１５】
また、引掛り部は、これの断面が円弧状に形成され、そして円弧の内周とステップ軸の外周が隙間無く嵌るように形成されることが好適である。
【００１６】
さらに、連結部は、直交線方向に対して伸縮自在であることが好適である。
【発明の効果】
【００１７】
本発明のエスカレータの主軸位置出し用工具によれば、スプロケットの交換作業時に、簡易な構造で、スプロケットの主軸の位置を容易にかつ正確に出すことができるエスカレータの主軸位置出し用工具を提供することにある。
【図面の簡単な説明】
【００１８】
【図１】本実施形態に係るエレベータの構成を示す図である。
【図２】踏段の構成を示す図である。
【図３】第１手摺駆動スプロケットの取り付け状況を示す図である。
【図４】主軸位置出し用工具の構成を示す図である。
【図５】主軸位置出し用工具を用いた作業状況を示す図である。
【図６】別の態様の主軸位置出し用工具の構成を示す図である。
【発明を実施するための形態】
【００１９】
以下、本発明に係るエスカレータの主軸位置出し用工具の実施形態について、図を用いて説明する。
【００２０】
まず、エスカレータ１０の構成について、図１を用いて説明する。エスカレータ１０は、このエスカレータ１０の自重及び荷重を支えるトラス１２を有する。トラス１２は、図１に示されるように、建物の上階床と下階床との間に掛け渡される。トラス１２は、上階床に接続する上階側水平部１２ａと、下階床に接続する下階側水平部１２ｂと、これらの水平部１２ａ，１２ｂの間に設けられる傾斜部１２ｃとを有する。上階側水平部１２ａ及び下階側水平部１２ｂには、それぞれ機械室が設けられる。
【００２１】
また、トラス１２には、一対の欄干１４がトラス１２の長手方向に沿って立設されている。さらに、トラス１２には、複数の踏段１６が上階側水平部１２ａと下階側水平部１２ｂとの間を循環移動可能に設けられている。各欄干１４には、手摺レール（図示せず）が設けられている。手摺レールには、移動手摺１８が走行可能に掛け渡されている。移動手摺１８の走行は、手摺レールによって案内される。
【００２２】
上階側水平部１２ａの機械室には、駆動源であるモータ２０と、主駆動スプロケット２２と、上部スプロケット２４と、主手摺駆動スプロケット２６と、制御装置２８とがそれぞれ設けられている。一方、下階側水平部１ｂの機械室には、下部スプロケット３０が設けられている。モータ２０の回転軸には、出力用スプロケット（図示せず）が取り付けられている。モータ２０の動作は、制御装置２８によって制御される。
【００２３】
モータ２０の出力用スプロケットと主駆動スプロケット２２とには、無端状の主駆動チェーン３２が巻き掛けられている。主駆動スプロケット２２と上部スプロケット２４と主手摺駆動スプロケット２６とは、いずれも同期して回転可能に、同一の回転軸上に配置される。上部スプロケット２４と下部スプロケット３０とには、互いに隣り合う踏段１６同士を連結する無端状の踏段チェーン３４が巻き掛けられている。この構成により、モータ２０の駆動力が、駆動チェーン３２、主駆動スプロケット２２を介して、踏段チェーン３４に伝達され、踏段１６が走行する。
【００２４】
傾斜部１２ｃの上階側水平部１２ａの近傍には、第１手摺駆動スプロケット３６と、移動手摺１８を駆動させる手摺駆動装置３８とが設けられている。第１手摺駆動スプロケット３６と主手摺駆動スプロケット２６とは、無端状の第１手摺駆動チェーン４０を介して互いに接続されている。そして、手摺駆動装置３８と第１手動駆動スプロケットとは、無端状の第２手摺駆動チェーン４２を介して互いに接続されている。この構成により、モータ２０の駆動力が、主駆動チェーン３２、主駆動スプロケット２２、主手摺駆動スプロケット２６、第１手摺駆動チェーン４０、第１手摺駆動スプロケット３６及び第２手摺駆動チェーン４２を介して、手摺駆動装置３８に伝達され、移動手摺１８が走行する。
【００２５】
このように構成されるエスカレータ１０によれば、制御装置２８により制御されたモータ２０の出力により、踏段１６と移動手摺１８を互いに同期させて循環走行させることができる。
【００２６】
次に、踏段１６の具体的な構成について、図２を用いて説明する。踏段１６は、利用者が乗る踏板４４と、踏段１６のけあげ部分であるライザ４６とを有する。また、踏段１６は、前輪である一対の駆動ローラ４８と、後輪である一対の追従ローラ５０とをそれぞれ有する。駆動ローラ４８は、踏段１６の幅方向に伸びるステップ軸５２に回転可能に支持され、このステップ軸５２が踏段チェーン３４に接続される。そして、踏段チェーン３４の駆動により、駆動ローラ４８と追従ローラ５０は、トラス１２内に設けられた駆動レール５４と追従レール５６によりそれぞれ案内され、踏段１６が循環走行する。
【００２７】
踏段１６よりトラス１２内部側には、第１手摺駆動スプロケット３６が設置される。第１手摺駆動スプロケット３６の取り付け状態について、図３を用いて説明する。第１手摺駆動スプロケット３６は、図１に示されるように、トラス１２の傾斜部１２ｃに設けられ、図３に示されるように、踏段１６と、この踏段１６が走行する駆動及び追従レール５４，５６よりもトラス１２内部側に取り付けられる。
【００２８】
第１手摺駆動スプロケット３６は、図３に示されるように、このスプロケット３６と同軸で、一体に回転する主軸６０を有し、この主軸６０がトラス１２の軸受け（図示せず）に対して回転可能に支持される。軸方向における主軸６０の中心には、主軸６０の外周から突出して形成されるセンターポンチ６２が設けられる。
【００２９】
このような場所に設けられる第１手摺駆動スプロケット３６を交換する場合、従来技術で説明したように、その交換を行なう作業領域が狭くかつ傾斜している。このような作業領域では、作業姿勢が十分に確保されないため、正確な寸法の測定が必要とされる位置出し作業に手間がかかってしまうという問題があった。
【００３０】
次に、この問題を解決することができる主軸位置出し用工具６４の構成について、図４，５を用いて説明する。なお、以下に説明する主軸位置出し用工具６４は、第１手摺駆動スプロケット３６を交換する作業に用いられる場合に限らず、エレベータ１０に用いられる他のスプロケットを交換する場合にも適用することができる。
【００３１】
図４は、主軸位置出し用工具６４の構成を示す図であり、図５は、主軸位置出し用工具６４を用いた作業状況を示す図である。主軸位置出し用工具６４は、当接部６６と、当接部６６から所定の間隔をあけて配置された接触部６８と、当接部６６と接触部６８とを連結する連結部７０とを有する。
【００３２】
図５に示されるように、当接部６６は、主軸６０のセンターポンチ６２に当接するように構成される。具体的には、当接部６６の側面６６ａが主軸６０のセンターポンチ６２に当接する。
【００３３】
そして、当接部６６は、主軸６０に対して、これの軸方向にスライド可能に固定される固定部７２を有する。固定部７２は、これの断面が円弧状に形成され、そして円弧の内周と主軸６０の外周が隙間無く嵌るように形成される。つまり、固定部７２の円弧と主軸６０は同軸である。円弧状は、主軸６０に対して着脱を容易にするため、半円より小さい円弧である。また、固定部７２は、軸方向に所定の長さを有する。このような固定部７２の構成により、当接部６６が主軸６０に装着されているとき、固定部７２の軸が主軸６０からずれてしまうことを防止することができる。よって、当接部６６に接続する連結部７０と接触部６８は、これら６８，７０と主軸６０とを含む平面において、主軸６０に対して所定の角度、例えば９０度を成すように維持される。
【００３４】
接触部６８は、図５に示されるように、主軸６０付近のステップ軸５２に接触するように構成される。具体的には、接触部６８の側辺６８ａがステップ軸５２に当接する。主軸６０付近のステップ軸５２とは、主軸６０から最も近くに位置するステップ軸５２のことである。
【００３５】
次に、主軸位置出し用工具６４を用いた作業動作について説明する。まず、交換対象となる第１手摺駆動スプロケット３６の主軸６０に主軸位置出し用工具６４を取り付ける。具体的には、主軸６０に固定部７２を取り付け、当接部６６の側面６６ａが主軸６０のセンターポンチ６２に当接するまで、固定部７２を主軸６０上でスライドさせる。
【００３６】
そして、接触部６８をステップ軸５２に接触させ、この接触領域を、マジックなどでマーキングする。このマーキングが主軸６０のセンター位置の目印７４となる。このように、主軸位置出し用工具６４を用いることにより、エスカレータ１０の他の構成部品に対して、容易に主軸６０の位置出しを行なうことができる。
【００３７】
続いて、交換対象となる第１手摺駆動スプロケット３６を取り外し、新しい第１手摺駆動スプロケット３６をトラス１２に仮付けする。そして、新しい第１手摺駆動スプロケット３６の主軸６０に主軸位置出し用工具６４を取り付ける。具体的には、主軸６０に固定部７２を取り付け、当接部６６の側面６６ａが主軸６０のセンターポンチ６２に当接するまで、固定部７２を主軸６０上でスライドさせる。
【００３８】
その後、接触部６８をステップ軸５２に接触させる。そして、この接触領域が、上述した目印７４の位置に重なるように、当接部６６をセンターポンチ６２に当接させた状態で、主軸６０を軸方向に移動させる。これにより、新しい第１手摺駆動スプロケット３６の主軸６０のセンターが、エスカレータ１０のセンターに一致させることができる。
【００３９】
本実施形態の主軸位置出し用工具６４によれば、作業姿勢を十分に確保することができない場所であっても、第１手摺駆動スプロケット３６の交換作業時に、主軸６０の位置を容易にかつ正確に出すことができる。
【００４０】
次に、別の態様の主軸位置出し用工具６４について、図６を用いて説明する。図６は、別の態様の主軸位置出し用工具６４の構成を示す図である。なお、上記実施形態と同じ構成要素については同一の符号を付し、詳細な説明は省略する。
【００４１】
この態様の接触部６８は、ステップ軸５２に対して引っ掛かる引掛り部７６を有する。引掛り部７６は、これの断面が円弧状に形成され、そして円弧の円周とステップ軸５２の外周が隙間無く嵌るように形成される。つまり、引掛り部７６の円弧とステップ軸５２は同軸である。円弧状は、ステップ軸５２に対して着脱を容易にするため、半円より小さい円弧である。このような引掛り部７６の構成により、当接部６６が主軸６０に、そして接触部６８がステップ軸５２に、それぞれ引っ掛かるので、作業中における主軸位置出し用工具６４の落下を防止することができる。
【００４２】
また、この態様の連結部７０は、伸縮自在の伸縮部７８を有する。伸縮部７８は、主軸６０に対して、例えば直交する方向に伸縮する。伸縮部７８は、第１連結部７０ａと、この連結部７０ａの外周をスライド可能に移動する第２連結部７０ｂとを有する。この構成により、主軸６０とステップ軸５２との距離が一定でない場合であっても、これらの軸５２，６０に簡単に主軸位置出し用工具６４を取り付けることができる。
【００４３】
なお、本実施形態においては、引掛り部７６がステップ軸５２に嵌る円弧状に形成される場合について説明したが、この構成に限定されない。ステップ軸５２に対して引っ掛かるのであれば、引掛り部７６が、ステップ軸５２の周方向に所定の間隔をあけて少なくとも２個所接触するように形成されてもよい。
【符号の説明】
【００４４】
１０  エスカレータ、１２  トラス、１４  欄干、１６  踏段、１８  移動手摺、２０    モータ、３６  第１手摺駆動スプロケット、３８  手摺駆動装置、５２  ステップ軸、５４  駆動レール、５６  追従レール、６０  主軸、６２  センターポンチ、６４  主軸位置出し用工具、６６  当接部、６８  接触部、７０  連結部、７２  固定部、７４  目印、７６  引掛り部、７８  伸縮部。
【図１】
0005461289.tif 000002
【図２】
0005461289.tif 000003
【図３】
0005461289.tif 000004
【図４】
0005461289.tif 000005
【図５】
0005461289.tif 000006
【図６】
0005461289.tif 000007